(57)【要約】【課題】段ボール紙製の箱にシート成形してなるプラスチック製の内部容器を収納し、この内部容器の周囲を密封して、段ボール紙製の容器の保温性を維持し、これに漏水防止性と気密性を付与する。【解決手段】段ボール本体と、該段ボール本体の側板上部を覆う段ボール蓋とからなる段ボール容器の内部に、シート成形されたプラスチック本体と、該プラスチック本体と嵌合する蓋外周を有するプラスチック蓋とからなる内部容器を装入し、プラスチック本体が段ボール本体の上縁を覆う突条と周辺部を有する漏水防止容器において、プラスチック本体の突条上に粘着剤を施し、或いはプラスチックフィルムを被せた後、プラスチック蓋を被せ、プラスチック本体の突条をプラスチック蓋の蓋突条の裏面と接着或いは融着させ、或いは、周辺部が蓋外周より長く、プラスチック本体の突条上にプラスチック蓋を被せ、テープ状粘着剤を用いて蓋外周を周辺部に密着させる。【選択図】  図４
2005206175.tif 000002
【特許請求の範囲】
【請求項１】
段ボール本体（１）と、該段ボール本体（１）の側板上部を覆う段ボール蓋（２）とからなる段ボール容器の内部に、シート成形されたプラスチック本体（３）と、該プラスチック本体（３）と嵌合する蓋外周（１３）を有するプラスチック蓋（４）とからなる内部容器を装入し、プラスチック本体（３）が段ボール本体（１）の上縁を覆う突条（１０）と周辺部（１４）を有する漏水防止複合容器において、
段ボール本体内の内部容器のプラスチック本体（３）内に内容物が装入され、プラスチック本体（３）の突条上にプラスチック蓋（４）が嵌合され、粘着剤を介してプラスチック本体（３）とプラスチック蓋（４）が密封され、更に、段ボール蓋（２）が被せられていることを特徴とする段ボール製耐圧漏水防止複合容器。
【請求項２】
粘着剤として、両面粘着テープを使用することを特徴とする請求項１記載の段ボール製耐圧漏水防止複合容器。
【請求項３】
粘着剤が、アクリル系粘着剤であることを特徴とする請求項１又は２記載の段ボール製耐圧漏水防止複合容器。
【請求項４】
段ボール本体（１）と、該段ボール本体（１）の側板上部を覆う段ボール蓋（２）とからなる段ボール容器の内部に、シート成形されたプラスチック本体（３）と、該プラスチック本体（３）と嵌合する蓋外周（１３）を有するプラスチック蓋（４）とからなる内部容器を装入し、プラスチック本体（３）が段ボール本体（１）の上縁を覆う突条（１０）と周辺部（１４）を有する漏水防止複合容器において、
段ボール本体内の内部容器のプラスチック本体（３）内に内容物が装入され、プラスチックフィルム（１６）を介してプラスチック本体（３）の突条上にプラスチック蓋（４）が嵌合され、突条（１０）とプラスチックフィルム（１６）と蓋突条（１１）とが、融着されてプラスチック本体（３）とプラスチック蓋（４）が密封され、更に、段ボール蓋（２）が被せられていることを特徴とする段ボール製耐圧漏水防止複合容器。
【請求項５】
プラスチック本体（３）の突条をプラスチック蓋（４）の蓋突条と粘着或いは融着した後の剥離強度が、輸送中の密封性を維持しながら、人間の手で剥離した時に容易に剥離される程度の剥離強度であることを特徴とする請求項１ないし４のいずれかに記載する段ボール製耐圧漏水防止複合容器。
【請求項６】
段ボール本体（１）と、該段ボール本体の側板上部を覆う段ボール蓋（２）とからなる段ボール容器の内部に、内容物が装入され、段ボール本体の上縁を覆う突条（１０）と周辺部（１４）を有するシート成形されたプラスチック本体（３）と、該プラスチック本体と嵌合する蓋外周（１３）を有するプラスチック蓋（４）とからなる内部容器を装入した漏水防止複合容器において、
周辺部（１４）が蓋外周（１３）より長く、プラスチック本体（３）の突条上にプラスチック蓋（４）を被せ、テープ状粘着剤を用いて蓋外周（１３）を周辺部（１４）に密着させたことを特徴とする段ボール製耐圧漏水防止複合容器。
【請求項７】
テープ状粘着剤を用いて蓋外周（１３）と段ボール蓋（２）の先端部を周辺部（１４）に密着させることを特徴とする請求項６記載の段ボール製耐圧漏水防止複合容器。
【請求項８】
テープ状粘着剤を用いて蓋外周（１３）と段ボール本体（１）の側板（５）と周辺部（１４）を密着させることを特徴とする請求項６又は７記載の段ボール製耐圧漏水防止複合容器。
【請求項９】
テープ状粘着剤が、基材の一方の面に粘着剤を塗布した片面粘着テープであることを特徴とする請求項６ないし８のいずれかに記載する段ボール製耐圧漏水防止複合容器。
【請求項１０】
段ボール本体（１）の内面に補強段ボール紙を少なくとも２方の側板に貼着したことを特徴とする請求項１ないし９のいずれかに記載する段ボール製耐圧漏水防止複合容器。
【発明の詳細な説明】
【技術分野】
【０００１】
本発明は、段ボール紙製の容器の保温性を利用し、これに漏水防止性と気密性を付与する段ボール製耐圧漏水防止複合容器に関する。
【背景技術】
【０００２】
従来、生鮮魚介類や野菜を冷凍することなく、鮮度を保ちつつ輸送する手段として発泡スチロール製の箱が使用されていた。発泡スチロールの箱は軽く、保温力に優れ、漏水防止性で冷蔵状態を長く維持し、鮮度保持の目的を達成することができた。
一方、発泡スチロールの箱は使用後に嵩張り、折りたたむことが不可能で収納に広い場所を要する短所があった。使用済み発泡スチロールの再使用も推進されているが、再使用率は２００２年度は約４０％であった。更に発電式焼却等に２５〜２６％が再使用されている。近時、環境問題が深刻になるにつれ、再使用されなかった発泡スチロールの廃棄による諸問題が発生し、代替保温容器が求められていた。
【０００３】
一方、段ボール紙は中芯の各波の間に空気の対流を抑制できる空間を有し、保温力と緩衝性を有する。しかも折りたたみが容易で嵩張らず、使用後は古紙として繊維の再利用が可能であり、環境上も好ましい素材である。一般的に段ボール紙は湿気に弱いが、防湿加工したシートを使用することができる。
更に、段ボール箱内に袋詰めした内容物、特に、流動性ないし半流動性内容物を装入する、いわゆるバッグ・イン・ボックス（以下、Ｂ．Ｉ．Ｂとする）と称される複合容器が広く使用されつつある。中でも、特許文献１に示すような、段ボール箱内部が更に段ボール紙で八角形に補強されている容器は耐圧性が向上し、好ましく使用されている。
【特許文献１】特許第３３０５１２５号公報
【発明の開示】
【発明が解決しようとする課題】
【０００４】
しかしながら、サンマ、カニ等の生鮮魚介類やプロッコリー等の野菜類のような内容物の場合には、袋に密封するよりは解放容器に詰めて蓋をする形態の容器が充填、使用にあたって好ましい。発泡スチロール容器の代替品としてＢ．Ｉ．Ｂの技術を用いるためには、段ボール容器の密封部の水漏れを防止し、耐圧強度を更に向上させる必要があった。
【０００５】
段ボール箱の漏水防止性を改良するため、段ボール箱の内部にシート成形したプラスチック製の嵌合蓋を有する内部容器を装入する方法が検討された。元来、プラスチック素材に代わる素材として段ボールを使用するのであるから、内部容器は大量のプラスチック素材を用いてはならず、可及的に薄い素材であることが好ましい。本発明者らは、内部容器のプラスチック本体が段ボール箱本体の上縁を覆う形状の内部容器を製造したが、素材が薄いため密封するに充分な自己保形性と寸法精度が得られず、たとえ寸法が正確であっても内部容器の肉厚が薄く、張りが弱いために内部容器を密封することが困難であった。
【課題を解決するための手段】
【０００６】
本発明は上記課題を解決することを目的とし、その構成は、段ボール本体１と、該段ボール本体１の側板上部を覆う段ボール蓋２とからなる段ボール容器の内部に、シート成形されたプラスチック本体３と、該プラスチック本体３と嵌合する蓋外周１３を有するプラスチック蓋４とからなる内部容器を装入し、プラスチック本体３が段ボール本体１の上縁を覆う突条１０と周辺部１４を有する漏水防止複合容器において、プラスチック本体３の突条上に粘着剤を施した後、プラスチック蓋４を被せ、プラスチック本体３の突条１０を、プラスチック蓋４の蓋突条１１の裏面と密着させ、或いは内容物を装入したプラスチック本体３をプラスチックフィルムで覆い、突条とプラスチックフィルムと蓋突条とを熱融着し、或いは周辺部１４が蓋外周１３より長く、プラスチック本体３の突条上にプラスチック蓋４を被せ、テープ状粘着剤を用いて蓋外周１３を周辺部１４に密着させることを特徴とする。
【０００７】
すなわち、本発明は段ボール箱内に、段ボール本体に沿った形状で段ボール本体の上縁を覆うプラスチック本体と、これと嵌合するプラスチック蓋と、段ボール蓋とからなり、シート成形された肉薄の内部容器を装入して、段ボール箱に漏水防止性を付与したものである。この際、プラスチック本体とプラスチック蓋との間に間隙が生じ、ここからの水漏れ、保温漏れが発生するおそれがあることから、この間に粘着剤を施して或いは熱融着してプラスチック本体とプラスチック蓋とを密封させ、漏水防止性、保温性を確保するものである。
【０００８】
プラスチック本体とプラスチック蓋とを密封するにあたって、プラスチック本体の上縁１０とプラスチック蓋４の蓋突条１１の裏面とを粘着する方法がある。この場合、両面粘着テープを使用すると作業性が向上する。また、内容物を装入したプラスチック本体全体にプラスチックフィルムを被せ、突条１０と蓋突条１１裏面とをプラスチックフィルムを介して熱融着する。或いは、プラスチック本体にプラスチック蓋を被せた後、外部からテープ状粘着剤でプラスチック容器の周辺部と蓋外周とを密着させる方法もある。この両者を併用しても差支えない。
更に、段ボール箱の胴膨れを防止するために、段ボール本体の内面は、少なくとも２方の側板に貼着した段ボール紙で補強されていることを特徴とする。
【発明の効果】
【０００９】
段ボール紙製の箱に収納される内部容器を粘着剤で、或いは熱融着して密封する本発明により、袋詰めに不向きな内容物であっても、段ボール紙製の容器の保温性を利用し、これに漏水防止性と気密性を付与することが可能になった。
更に、使用後において、段ボール紙は折りたたみ容易で嵩張らず、再使用できる。プラスチック製内部容器はスタッキングすることで著しく減容化でき、環境保全の上で好ましい容器である。本発明は低温保存のみでなく高温保存できる可能性もある。
【発明を実施するための最良の形態】
【００１０】
本発明における内容物とは、カニ、イカ、サンマ等の生鮮魚介類、ブロッコリイ、ほうれん草等の生鮮野菜、苺、桃等の果実類であり、保冷状態で輸送する必要のある商品は全て包含される。同時に氷塊を装入すると輸送、保存中も低温に保持され、冷水が漏出するおそれもない。
【００１１】
本発明に使用する段ボール箱は、段ボール本体１と段ボール蓋２とからなる。段ボール蓋２は段ボール本体１の上縁９に当接し側板５の上部を覆うものである。大型の段ボール本体に多くの内容物を装入すると、一般に胴脹れと言われる現象が生じる。すなわち、四角い箱の扁平な側板５が膨らんで丸みを有し、円形形状に近づく現象である。胴脹れは段ボール容器の密封性及び剛性を阻害するため、内部に補強段ボール紙を貼着して補強することが好ましい。補強方法としては１枚の段ボール紙を少なくとも２方の側板５の内面に貼着して貼着部６とし、中間部を貼着せずに残して非貼着部７とし、互いに隣接する側板５と側板５とを常に直角に保つようにする。
【００１２】
図１には段ボール本体１を２枚の段ボール紙で補強し、内容物装入部を八角形にした段ボール本体の斜視図を示す。この場合、段ボール紙は両端部と中央部の３面の貼着部６と２面の非貼着部７を有し、段ボール本体の内容積はやや小さくなる。補強方法は図１に示す方法に限らず、他の方法も使用できる。例えば、図２に示すような補強方法もある。この場合は図３に示すような形状に段ボール紙を２つ折りし、両端部の折り目を切断してそれぞれを直角に開いて段ボール本体１の互いに対向する面に貼着する。この方法を用いると段ボール本体の内部は２分割される。
図１に示すように補強段ボール紙は段ボール本体１内部において、段ボール本体１の上縁９より５〜１０ｍｍ低くする。その結果、段ボール本体１の内部の上縁に段差８が生じる。
【００１３】
図４及び図５に示すように、内部容器はプラスチック本体３とプラスチック蓋４とよりなり、シート成形により製造される。シート素材はポリエチレン、ポリプロピレン等のポリオレフィン、ポリカーボネート、ポリスチレン等限定はないが、特にポリオレフィンが好ましい。
プラスチック本体３は段ボール本体１の内面に沿った形状であり、段差８と段ボール本体の上縁９と側板５の上部を囲んだ形状である。したがって、段ボール本体の側板５の上部は周辺部１４に覆われている。プラスチック蓋４は、中央部の蓋面は補強段ボール紙の高さでありやや低く、周囲において突条１０と嵌合する蓋突条１１を突出形成している。蓋突条１１の外周は蓋外周１３であり、周辺部１４より短い。これらは厚さ２００〜１０００μｍのプラスチックシートを成形したものであるため、実際にはより薄くなり自立性はあるが嵌合しても気密性は得られない。
【００１４】
本発明に用いる粘着剤は食品に用いて無害なものであれば特に限定はない。テープ状粘着剤とは、プラスチックフィルム、織布、不織布、紙等の引張強度を有する基材の一方又は両方の面に粘着剤を塗布したテープ状物をいう。粘着剤を突条１０に直接塗布してもよいが、基材の両面に粘着剤を塗布した両面粘着テープ１２を貼着する方が取扱いが容易である。開封するにあたり、刃物を用いて開封してもよいが、手で剥がすことが好ましいため、輸送中に液漏れすることがなく、しかも開封時には手で剥がせる程度に調整した粘着強度の両面粘着テープを用いることが好ましい。
【００１５】
図６には粘着剤を使用せず、プラスチックフィルム１６を熱で融着させる方法を示す。先ず、内容物を装入したプラスチック本体３の開口部及び突条１０を覆ってプラスチックフィルム１６を被せる。次いで、プラスチック蓋４をプラスチックフィルムを挟んだまま嵌合させる。その上で蓋突条１１の上から加熱して、突条１０とプラスチックフィルム１６と蓋突条１１の裏面とを融着して内部容器を密封する。プラスチックフィルムは熱融着性であることが好ましい。加熱方法は特に限定しないが、蓋突条１１上面からインパルスシーラーで加熱することが好ましい。
【００１６】
図７には他の密封方法を示す。プラスチック蓋４の蓋突条１１を被せる。周辺部１４は蓋外周１３より長いため、段ボール本体の側板５には周辺部１４が重なり、その上に周辺部１４より短い蓋外周１３の先端部が存在する。基材の一方の面に粘着剤を塗布した片面粘着テープ１５で、蓋外周１３の先端部を中心にして容器の周囲を１周以上すれば、内部容器の密封性及び漏水防止性を保持することができる。
更に、より太い片面粘着テープ１５を用いて、周辺部１４と蓋外周１３と段ボール蓋２の先端部とを一体に粘着しながら容器の周囲を１周以上する方法がある。また、より太い片面粘着テープ１５を用いて、周辺部１４と蓋外周１３と段ボール本体１の側板５とを一体に粘着しながら容器の周囲を１周以上する方法がある。これらの方法によれば、内部容器の漏水防止性及び気密性は一層確実になる。
【００１７】
図７の方法と粘着剤を使用する方法或いはプラスチックフィルムを用いて融着する方法を併用することもできる。
粘着剤としては、アクリル系、シリコーン系、熱硬化性ゴム系、軟粘性アクリル系等が挙げられるが、一般にアクリル系粘着剤が好ましい。
【実施例１】
【００１８】
厚さ５ｍｍの段ボール紙からなる４００ｍｍ×５００ｍｍ×１５０ｍｍの段ボール本体１を用いた。この段ボール本体１は内部に同一の段ボール紙素材を用いて図１に示すような補強を施し、実質的内部形状を八角柱にした。段差８は７ｍｍであった。厚さ４００μｍの無延伸ポリプロピレンシートをシート成形してプラスチック本体３を形成し、上記段ボール本体の内面に装入し、図５に示すように、上縁９と突条１０を嵌合させた。
【００１９】
プラスチック本体３内部にサンマを氷塊と共に装入し、アクリル系粘着剤を使用した両面粘着テープ１２を突条１０の上に貼着した。次いでプラスチック蓋４の蓋突条１１を突条１０と嵌合させ粘着させ、突条１０と蓋突条１１の間に密封部を形成した。次いで、段ボール蓋２を被せ、釧路から埼玉まで普通トラックで輸送した。段ボール容器からは水分の漏出は一切みられず、密封状態で輸送することができた。
埼玉において、プラスチック蓋４は手で容易に開封できた。内部の氷は一部が融けて底に少量の冷水が溜まっており、サンマは新鮮な状態を維持しており、従来のポリスチレン容器で輸送した場合と遜色なかった。
【実施例２】
【００２０】
実施例１の容器を用い、内容物として収穫直後のブロッコリイを入れ、氷の量をやや控え、突条１０に粘着剤を施さなかった以外は実施例１と同様にしてプラスチック蓋を被せた。幅６ｃｍの漏水防止性粘着テープを、粘着テープの長さ方向中央部に蓋外周１３の先端がくるように、蓋外周１３と周辺部１４に跨がって貼着密封した。更に段ボール蓋２を被せ、青森県から群馬県までトラック輸送した。密封から開封まで約２４時間を要した。開封後、中はひんやりとし、氷はやや融けていたが、収穫直後の青々とした状態を保っていた。
比較として、内部容器を用いず、単なる段ボール容器で同様のブロッコリイを同時に輸送した。開封時、ブロッコリイの緑色はやや褪せて、黄色がかっていた。
【図面の簡単な説明】
【００２１】
【図１】段ボール本体の１例を示す斜視図である。
【図２】他の段ボール本体を示す平面図である。
【図３】図２の補強段ボール紙の形状を示す斜視図である。
【図４】本発明の使用方法を示す分解断面説明図である。
【図５】図４の破線で囲った部分の拡大説明図である。
【図６】本発明の使用方法を示す分解断面説明図である。
【図７】図４の破線で囲った部分を示す他の拡大説明図である。
【符号の説明】
【００２２】
１  段ボール本体
２  段ボール蓋
３  プラスチック本体
４  プラスチック蓋
５  側板
６  貼着部
７  非貼着部
８  段差
９  上縁
１０  突条
１１  蓋突条
１２  両面粘着テープ
１３  蓋外周
１４  周辺部
１５  片面粘着テープ
１６  プラスチックフィルム
【図１】
2005206175.tif 000003
【図２】
2005206175.tif 000004
【図３】
2005206175.tif 000005
【図４】
2005206175.tif 000006
【図５】
2005206175.tif 000007
【図６】
2005206175.tif 000008
【図７】
2005206175.tif 000009